(57)【要約】【課題】可動部の開閉動作の際にフレキシブルプリント基板の余長分が弛んで意図しない挙動や折れ曲がり方をしない仕組みを提供する。【解決手段】機器本体３に対してヒンジ軸５を中心として回動可能に支持される可動部４と、可動部４から引き出されヒンジ軸５の外側を通過して機器本体３の内部に配置される回路基板に接続されるフレキシブルプリント基板８と、を備え、フレキシブルプリント基板８は機器本体３に形成される開口部９に挿通され、ヒンジ軸５の外側を通過するように配置され、機器本体３の内部にはヒンジ軸５の外側を通過したフレキシブルプリント基板８を屈曲させるガイド部１４が形成され、ヒンジ軸５およびガイド部１４の外側に、可動部４の開閉動作中に発生するフレキシブルプリント基板８の余長分を収納する余長収納空間１６が設けられる。【選択図】図４
2014126794.tif 000002
【特許請求の範囲】
【請求項１】
機器本体と、
前記機器本体に対して前記機器本体の内部に設けられたヒンジ軸を中心として回動可能に支持される可動部と、
前記可動部から引き出され、前記ヒンジ軸の外側を通過して前記機器本体の内部に配置される回路基板に接続されるフレキシブルプリント基板と、を備え、
前記フレキシブルプリント基板は、前記機器本体に形成された開口部に挿通され、前記ヒンジ軸の外側を通過するように配置され、
前記機器本体の内部には、前記ヒンジ軸の外側を通過した前記フレキシブルプリント基板を屈曲させるガイド部が形成され、
前記ヒンジ軸および前記ガイド部の外側に、前記可動部の開閉動作中に発生する前記フレキシブルプリント基板の余長分を収納する余長収納空間を形成することを特徴とする電子機器。
【請求項２】
前記ガイド部は、前記ヒンジ軸の外側を通過した前記フレキシブルプリント基板を略９０度に屈曲させることを特徴とする請求項１に記載の電子機器。
【請求項３】
前記可動部には、前記フレキシブルプリント基板が引き出される引き出し部が形成され、
前記開口部は、前記可動部の回動範囲で前記可動部に形成された前記引き出し部と等距離になる位置に形成されることを特徴とする請求項１又は２に記載の電子機器。
【請求項４】
前記機器本体の内部には、前記フレキシブルプリント基板を屈曲させた状態で保持する保持部が形成され、
前記可動部の回動範囲を超えて前記可動部を回動させた際に、前記保持部は、前記フレキシブルプリント基板が前記開口部から引き出される力により前記フレキシブルプリント基板の保持を解除することを特徴とする請求項１乃至３のいずれか一項に記載の電子機器。
【請求項５】
前記フレキシブルプリント基板の幅方向の両側には、前記保持部に保持される突出部が形成され、
前記突出部は、前記フレキシブルプリント基板が前記ヒンジ軸の外側を通過して前記機器本体の内部に配置される回路基板に接続されるときに、前記回路基板との接続部と前記ヒンジ軸との間に形成されることを特徴とする請求項４に記載の電子機器。
【発明の詳細な説明】
【技術分野】
【０００１】
本発明は、例えば、デジタルカメラやデジタルビデオカメラ等の電子機器に関する。
【背景技術】
【０００２】
デジタルカメラやデジタルビデオカメラ等の電子機器では、機器本体に対して表示ユニット等の可動部をヒンジ部を介して開閉可能に支持するものがある。このような電子機器では、機器本体と可動部とを電気的に接続するために、フレキシブルプリント基板が多く用いられている。
【０００３】
この場合、機器本体と可動部とを接続するのに必要なフレキシブルプリント基板の長さは、可動部の開状態と閉状態とで異なるため、最も長さを必要とする開状態の長さを確保しておく必要がある。また、フレキシブルプリント基板をヒンジ部に通す際には、一般に、ヒンジ軸周りにフレキシブルプリント基板を巻きつけるようにしている。こうすることで、可動部の開閉の際に生じるフレキシブルプリント基板の必要長さの変化を吸収する事が出来る（特許文献１）。
【先行技術文献】
【特許文献】
【０００４】
【特許文献１】特開２００９−２４６３８０号公報
【発明の概要】
【発明が解決しようとする課題】
【０００５】
ところで、近年の電子機器の小型化の要請により、ヒンジ軸周りのスペースを削減すべく、ヒンジ部にカバーを設けず、機器本体と可動部との間でフレキシブルプリント基板を外部に露出させるタイプのものがある。
【０００６】
しかし、機器本体と可動部との間でフレキシブルプリント基板を外部に露出させると、特に可動部の開状態から閉状態への遷移中に、フレキシブルプリント基板の余長分が弛んで意図しない挙動や折れ曲がり方をする可能性がある。このため、電子機器の不具合が発生するおそれがある。
【０００７】
そこで、本発明は、可動部の開閉動作の際にフレキシブルプリント基板の余長分が弛んで意図しない挙動や折れ曲がり方をしない仕組みを提供する。
【課題を解決するための手段】
【０００８】
上記目的を達成するために、本発明の電子機器は、機器本体と、前記機器本体に対して前記機器本体の内部に設けられたヒンジ軸を中心として回動可能に支持される可動部と、前記可動部から引き出され、前記ヒンジ軸の外側を通過して前記機器本体の内部に配置される回路基板に接続されるフレキシブルプリント基板と、を備え、前記フレキシブルプリント基板は、前記機器本体に形成された開口部に挿通され、前記ヒンジ軸の外側を通過するように配置され、前記機器本体の内部には、前記ヒンジ軸の外側を通過した前記フレキシブルプリント基板を屈曲させるガイド部が形成され、前記ヒンジ軸および前記ガイド部の外側に、前記可動部の開閉動作中に発生する前記フレキシブルプリント基板の余長分を収納する余長収納空間を形成することを特徴とする。
【発明の効果】
【０００９】
本発明によれば、可動部の開閉動作の際にフレキシブルプリント基板の余長分が弛んで意図しない挙動や折れ曲がり方をしないようにすることができる。
【図面の簡単な説明】
【００１０】
【図１】本発明の電子機器の実施形態の一例であるデジタルカメラを正面側（被写体側）から見た斜視図である。
【図２】（ａ）は図１に示すデジタルカメラを背面側から見た斜視図、（ｂ）は（ａ）に示すデジタルカメラのカメラ本体に対して可動部が全開位置まで開いた状態を示す斜視図である。
【図３】（ａ）は図１に示すデジタルカメラを部分的に分解した斜視図、（ｂ）は（ａ）のＡ部拡大図である。
【図４】図３（ｂ）のデジタルカメラの光軸方向に沿う断面図である。
【発明を実施するための形態】
【００１１】
以下、本発明の実施形態の一例を説明する。
【００１２】
図１は、本発明の電子機器の実施形態の一例であるデジタルカメラを正面側（被写体側）から見た斜視図である。
【００１３】
図１に示すように、本実施形態のデジタルカメラ１は、レンズ鏡筒２が設けられたカメラ本体３と、カメラ本体３の背面側にカメラ本体３に対して後述するヒンジ軸５（図３（ｂ）参照）を中心として回動可能に支持される可動部４とを備える。ここで、カメラ本体３は、本発明の機器本体の一例に相当する。
【００１４】
図２（ａ）は図１に示すデジタルカメラ１を背面側から見た斜視図である。図１および図２（ａ）に図示する状態は、可動部４がカメラ本体３に対して全閉位置まで閉じた状態である。図２（ｂ）は図２（ａ）に示すデジタルカメラ１のカメラ本体３に対して可動部４が全開位置まで開いた状態を示す斜視図である。
【００１５】
図２に示すように、可動部４には、ヒンジ軸５の軸方向に互いに離間配置された一対のアーム６が一体に固定されている。ヒンジ軸５は、カメラ本体３の内部に設けられ、ヒンジ軸５に対して一対のアーム６が回動可能に取り付けられている。これにより、可動部４は、カメラ本体３に対して開き方向および閉じ方向に回動する。そして、可動部４が図２（ｂ）に示す全開位置まで開いた状態では、不図示のストッパ機構によりそれ以上の開き方向への回動が規制される。
【００１６】
また、可動部４には、ＬＣＤ等の表示装置７が設けられており、表示装置７の回路基板とカメラ本体３の回路基板とは、フレキシブルプリント基板８により電気的に接続されて、表示装置７の駆動が制御される。
【００１７】
また、フレキシブルプリント基板８は、一対のアーム６の間でカメラ本体３、及び可動部４にそれぞれ形成されたスリット状の開口部９、及び開口部１０を挿通して、開口部９と開口部１０との間の部分がカメラ１の外部に露出して配置されている。フレキシブルプリント基板８のカメラ１の外部に露出する部分には、表面全体にシルク印刷処理や黒色等のカバーフィルムの貼り付け処理が施されている。
【００１８】
図３（ａ）は図１に示すデジタルカメラ１を部分的に分解した斜視図、図３（ｂ）は図３（ａ）のＡ部拡大図である。図４は、図３（ｂ）のデジタルカメラ１のＢ−Ｂ線における断面図である。
【００１９】
図３に示すように、フレキシブルプリント基板８は、一端が可動部４側の回路基板（不図示）等に固定され、他端が開口部１０、及び開口部９を挿通してカメラ本体３の内部でヒンジ軸５の外側を通ってカメラ本体３側の回路基板のコネクタ１１に接続される。
【００２０】
ここで、フレキシブルプリント基板８には、幅方向両側にそれぞれ幅方向外方に突出する突出部１３が設けられる。フレキシブルプリント基板８がヒンジ軸５の外側を通って回路基板のコネクタ１１に接続されるとき、フレキシブルプリント基板８の突出部１３はヒンジ軸５とコネクタ１１との間に位置する。
【００２１】
カメラ本体３には保持用リブ１２が形成され、保持用リブ１２がフレキシブルプリント基板８の突出部１３と係合することで、フレキシブルプリント基板８を保持する。保持用リブ１２は、本発明の保持部の一例に相当する。
【００２２】
図４に図示するように、カメラ本体３には、フレキシブルプリント基板８をガイドするガイド部１４が形成されている。フレキシブルプリント基板８の突出部１３を保持用リブ１２に係合させることで、フレキシブルプリント基板８はカメラ本体３に形成されたガイド部１４に沿うように保持される。
【００２３】
図４に図示するように、フレキシブルプリント基板８は、コネクタ１１が実装される回路基板に沿って配置され、屈曲部１７で曲げられることで、ガイド部１４に沿う。そして、フレキシブルプリント基板８は屈曲部１５で曲げられた後、ヒンジ軸５の外側を通過する。
【００２４】
フレキシブルプリント基板８のカメラ１の外部に露出する部分がユーザに引き出された場合には、突出部１３と保持用リブ１２との係合部分にて、フレキシブルプリント基板８を引き出す力を受け止める。したがって、フレキシブルプリント基板８のコネクタ１１に接続される部分に対して引っ張り負荷がかかるのを防止することができる。
【００２５】
図４に図示するように、フレキシブルプリント基板８はガイド部１４に沿うように保持されることで、フレキシブルプリント基板８のガイド部１４にガイドされる部分は、フレキシブルプリント基板８のコネクタ１１に接続される部分から略９０度に曲げられた状態となる。また、フレキシブルプリント基板８はヒンジ軸５の外側を通過するように配置されることで、フレキシブルプリント基板８のヒンジ軸５の外側を通過する部分は、フレキシブルプリント基板８のガイド部１４にガイドされる部分から略９０度に曲げられた状態となる。
【００２６】
次に、カメラ本体３に対して可動部４が開き方向および閉じ方向に回動した際のフレキシブルプリント基板８の挙動について説明する。
【００２７】
可動部４は、カメラ本体３内のヒンジ軸５を中心に開き方向および閉じ方向に回動するため、可動部４が回動する際には、可動部４側の開口部１０から突出部１３と保持用リブ１２との係合部分までのフレキシブルプリント基板８の引き回し経路が変化する。しかし、本実施形態では、カメラ本体３側の開口部９は、可動部４の全開状態から全閉状態までの回動範囲で可動部４側の開口部１０と略等距離になる位置に配置されているので、かかる変化は少ない。
【００２８】
一方、カメラ本体３と可動部４とを接続するのに必要なフレキシブルプリント基板８の長さは、可動部４の開き状態と閉じ状態とで異なるため、最も長さを必要とする長さを確保しておく必要がある。このため、可動部４の開閉動作中にフレキシブルプリント基板８に余長が発生することになる。そして、この余長分が、可動部４の開閉動作の際にフレキシブルプリント基板８の意図しない挙動や折れ曲がりの原因となり、カメラ１の不具合の原因となる可能性がある。
【００２９】
ここで、本実施形態では、フレキシブルプリント基板８のヒンジ軸５の外側を通過する部分が、フレキシブルプリント基板８のガイド部１４にガイドされる部分に対して略９０度曲げられることで、屈曲部１５が形成される。
【００３０】
このため、フレキシブルプリント基板８は、屈曲部１５で屈曲方向と反対方向へ常に復元力が作用した状態で配置されている。本実施形態では、図４に図示するガイド部１４およびヒンジ軸５の外側には、フレキシブルプリント基板８の余長分を収納する余長収納空間１６が形成されている。
【００３１】
これにより、フレキシブルプリント基板８に余長が発生した状態では、図４のヒンジ軸５の外側の余長収納空間１６にフレキシブルプリント基板８の余長分が引き込まれる。これによって、フレキシブルプリント基板８のカメラ１の外部に露出している部分には、弛みがない状態になる。したがって、可動部４の開閉動作の際に発生したフレキシブルプリント基板８の余長分によって意図しない挙動や折れ曲がりが生じることがなく、可動部４の開閉動作に応じて、フレキシブルプリント基板８の余長分がスムースにカメラ本体３内に引き込まれる。
【００３２】
ここで、図２（ｂ）に図示する可動部４の全開状態では、ストッパ機構により可動部４のそれ以上の開方向への回動が規制されるが、可動部４に対してユーザが誤って過度の荷重を開き方向に加えると、ストッパ機構による規制力を超える可能性がある。
【００３３】
この場合、可動部４側の開口部１０から突出部１３と保持用リブ１２との係合箇所までの長さ以上にフレキシブルプリント基板８をカメラ本体３から引き出そうとする力が生じる。しかし、本実施形態では、この力がフレキシブルプリント基板８に作用すると、突出部１３と保持用リブ１２との係合が解除される。
【００３４】
これにより、フレキシブルプリント基板８の屈曲部１５および１７での屈曲が開放されて、カメラ本体３の開口部９からフレキシブルプリント基板８が引き出される。この結果、フレキシブルプリント基板８のコネクタ１１との接続が保たれて、カメラ１の正常な動作を確保することができる。
【００３５】
以上説明したように、本実施形態では、ヒンジ軸５周りのスペースを削減すべく、ヒンジ部にカバーを設けず、カメラ本体３と可動部４との間でフレキシブルプリント基板８をカメラ１の外部に露出させているので、カメラ１の小型化を図ることができる。
【００３６】
また、本実施形態では、可動部４の開閉動作の際に、フレキシブルプリント基板８の余長分が弛んで意図しない挙動や折れ曲がり方をしないため、カメラ１に不具合が発生するのを回避することができる。
【００３７】
なお、本発明の構成は、上記実施形態に例示したものに限定されるものではなく、材質、形状、寸法、形態、数、配置箇所等は、本発明の要旨を逸脱しない範囲において適宜変更可能である。
【００３８】
例えば、上記実施形態では、屈曲部１５の屈曲角度が略９０度となるように、フレキシブルプリント基板８を保持する場合を例示したが、これに限定されない。例えば、屈曲部１５の屈曲角度が鋭角になるように屈曲させてもよい。
【００３９】
屈曲部１５の屈曲角度を小さくすればするほど、屈曲を復元する力が増し、フレキシブルプリント基板８をカメラ本体３内に引き込む効果がさらに高まる。また、可動部４に対してユーザが誤って全開位置からストッパ機構による規制を超える過度の荷重を開き方向に加えた際に、屈曲部１５，１７での屈曲が開放されて引き出されるフレキシブルプリント基板８の長さをさらに増やすこともできる。
【００４０】
この場合、フレキシブルプリント基板８の突出部１３とコネクタ１１との接続部との間に、不図示の掛止部を設けて、フレキシブルプリント基板８が引き出される際に、掛止部が保持用リブ１２に引っ掛かるようにしてストッパとして機能させてもよい。なお、掛止部には、補強板を貼り付けるなどして、フレキシブルプリント基板８よりも高剛性とするのが好ましい。
【符号の説明】
【００４１】
３  カメラ本体
４  可動部
５  ヒンジ軸
８  フレキシブルプリント基板
９，１０  開口部
１４  ガイド部
１６  余長収納空間
１５，１７  屈曲部
【図１】
2014126794.tif 000003
【図２】
2014126794.tif 000004
【図３】
2014126794.tif 000005
【図４】
2014126794.tif 000006